(57)【要約】【課題】  作業者が軽易にしかも安全な姿勢で操作しかつ利用でき、更に引出し位置の調整が可能なエレベータのピットタラップを提供することを目的とするものである。【解決手段】  エレベータの昇降路ピット点検用のタラップにおいて、タラップ本体１と、乗場側ピット内路壁１２に水平に設置した上下レール７，８と、ピットタラップ側に設けた上下シュー４，４ａを備え、上下レール７，８に上下シュー４，４ａを係着してピットタラップ１を水平に摺動できるように構成する。【選択図】        図１
2005194077.tif 000002
【特許請求の範囲】
【請求項１】
エレベータの昇降路ピット点検用のタラップにおいて、ピットタラップ本体と、乗場側ピット内路壁に水平に設置した上下レールと、上記ピットタラップ側に設けられ上記上下レールに緩嵌してピットタラップと上下レールを係着した上下シューを備え、ピットタラップを水平に摺動させるように構成したことを特徴とするエレベータのピットタラップ。
【請求項２】
上記ピットタラップは固定装置を備え、収納位置で固定されるように構成したことを特徴とする請求項１記載のエレベータのピットタラップ。
【請求項３】
上記ピットタラップはその収納を確認する安全スイッチを備え、収納位置にてスイッチが入りエレベータが運転可能となり、収納位置を離れるとスイッチが切れエレベータが運転不能となるように制御されていることを特徴とする請求項１記載のエレベータのピットタラップ。
【請求項４】
上記ピットタラップは、その縦部材に装着した上下シューを介して上下レールで支承案内され、かつ転倒が防止されていることを特徴とする請求項1記載のエレベータのピットタラップ。
【発明の詳細な説明】
【技術分野】
【０００１】
この発明は、エレベータのピット点検用タラップに関するものである。
【背景技術】
【０００２】
従来からある固定式のピットタラップの問題点を無くすことを目的として提示されたエレベータのピット点検用タラップにおいては、最下階の乗場敷居の下方に第１の縦部材を回動自在に立設し、これに平行して上部が乗場敷居より上方に伸びる第２の縦部材およびこの第２の縦部材と上記第１の縦部材とを連結する複数の横部材とから成り、第２の縦部材を介してピット点検用タラップをピットの中央側に回動動作によって引出すように構成されている（特許文献１参照）。
【０００３】
【特許文献１】特開平７−４１２６４号公報
【発明の開示】
【発明が解決しようとする課題】
【０００４】
上記特許文献１によって開示されたエレベータのピット点検用タラップにおいては、ピット内の点検を行うにあたって、第１の縦部材を支点としてタラップをピット内へ回動させて引出すので、それ相当の操作力とタラップの幅に応じた腕の伸張動作を必要とし、それだけ操作姿勢が不安定となり安全性が保たれないという問題点があった。又、乗場敷居に対して９０度に近い開度の空間に引出されるので、作業時の移乗動作に注意が必要であること、及びタラップの横移動ができないので、ピット内の構造に対応した横方向の位置の調節が不可能であるという問題点もあった。
【０００５】
この発明は上記のような課題を解決するためになされたものであり、昇降路のサイズに制約を受けることなく設置でき、収納・引出しが軽易円滑に行われかつ走行中のカゴ、乗場の戸と衝突する惧れもなく、作業者のタラップ取手に手を掛け操作する時及び踏台に脚を掛ける時の姿勢が安全に保たれ、しかもタラップを最も作業し易い場所に設置できる引出し位置の調整が可能なピットタラップを提供することを目的とする。
【課題を解決するための手段】
【０００６】
この発明の請求項１に係るエレベータのピットラップは、梯子状構造のピットタラップと、乗場側ピット内路壁に水平に設置した上下レールと、上記ピットタラップの縦部材に設けられ上記レールに緩嵌してピットタラップと上下レールを係着したシュー部材とから構成されたものである。
【発明の効果】
【０００７】
この発明の請求項１に係るエレベータのピットトラップによれば、ピットタラップと、乗場側ピット内路壁に水平に設置した上下レールと、上記ピットタラップの縦部材に設けて上下レールとピットタラップを係着したシュー部材を備えたものであって、ピットタラップはエレベータの走行中は、乗場敷居端と昇降路側壁間に収納し、必要に応じてピット内の任意の作業位置に引出して使用するもので、昇降路のサイズに制約を受けることなく、安全なスペースでの設置が可能となり、他の機器との干渉もなくなる。またピットタラップは乗場側に接近した水平移行操作で引出され、かつ収納されるので、作業者がタラップに手を掛けて引出し作業を行う時や、引出し後の乗降動作は、タラップに接近した位置で無理のない姿勢で行われる。なお、ピットタラップの移動は軽易であって、しかも起立状態は強固に維持される。
【発明を実施するための最良の形態】
【０００８】
実施の形態１．
以下、この発明の一実施形態を図に基づいて説明する。
図１、図２はこの発明の実施形態１によるエレベータのピットタラップを示す正面図であり、図１はタラップ収納時、図２はタラップを引出した時の状態を示す。図３は図２におけるＡ−Ａ線に沿った側面図、図４はタラップ格納時における平面図である。
【０００９】
図において、ピットタラップ１は作業者が手を掛けるための縦部材２と、該縦部材２間で等間隔に架設した乗降時における脚掛用の横部材３と、後述するピットタラップ１を案内する上下レールに係着すべく上記縦部材２に設けた上部シュー４および下部シュー４０とから構成されており、縦部材２の上部一側面に係止金具５を、又下部の反対側面に安全スイッチを押すための接触片を設けている。
【００１０】
７は上部レールであり、これは乗場側ピット内路壁の所定の位置で水平に設置され、その先端縁部７ａをピットタラップ１の縦部材２を設けた上部シュー４に係着している。８は下部レールであり、ピット路壁の内底面に敷設され、先端縁部８ａをピットタラップ１の縦部材２の下端に設けた下部シュー４ａに係着している。
【００１１】
上記上部レール７、下部レール８は平行を保って壁面に強固に固定され、上下シュー４、４ａを介してピットタラップ１を支持し、かつ引出し収納時に横行を軽易に案内するものであって、上下部レール７，８の取り付け位置は、ピットタラップ１の縦部材２における上下部シュー４，４ａの設置位置によって決まり、又上下部レール７，８とこれに係着する上下部シュー４，４ａは、ピットタラップ１の支持・案内を考慮した上で強固な支持と円滑な案内が達成されるよう構成することが望ましい。なお図中９はカゴ室、１０は乗場敷居、１１は釣合錘り、１２は昇降路壁、１３は乗場の戸、１４は安全スイッチであり、ピットタラップ１側の接触片６に対位した位置に設けられる。
【００１２】
実施の形態２．
図５はこの発明の実施形態２によるピットタラップの固定位置１５を示す斜視図であり、これは固定金具１６と上記係止金具５とから成り、カゴ室の走行中、最下階乗場敷居１０と昇降路壁１２の間に形成された空間にピットタラップ１を収納した時、ピットタラップ１が移動しないように上記固定金具１６をピットタラップ１側に設けた係止金具５に係合させる。図５に示す固定装置１５が係合した状態はピットタラップ１を収納位置に固定した図１に示す状態に相当する。
【００１３】
何らか不測の理由でピットタラップ１が収納位置から移動することを勘案して、走行中のカゴ室９あるいは開いた乗場の戸３と衝突する惧れを防ぐ安全対策として昇降壁１２の側面に上記安全スイッチ１４を設け、ピットタラップ１が正規の位置に収納された時、接触片６と上記安全スイッチ１４をＯＮの状態とし、カゴ室９を走行可能にする。
【００１４】
実施の形態３．
図６（ａ）（ｂ）はこの発明の実施の形態３によるピットタラップの位置決め装置１７の断面図であり、本実施形態ではピットタラップ１の縦部材２側にばね１８で附勢された固定ボール１９を設け、ピットタラップ１が所定の部所に引出されて上記固定ボール１９が乗場敷居１０に形成した凹欠部２０内に対位した時、固定ボール１９が押出されて凹欠部２０に嵌合し、これによってピットタラップ１の使用時の位置が確定され、横行移動が阻止される。なお、使用位置が複数箇所に特定される場合は、上記凹欠部２０をそれに合わせて適宜設けておけばよいのであって、位置決め装置１７の構成及び設置場所は特定されない。
【００１５】
次に動作について説明する。
点検に際し、作業者が最下階乗場からピット部に入る時は、カゴ室９を最下階から上の階に移動させ、最下階乗場の戸１３を開ける。その後、乗場昇降路壁１２に取付けた固定装置１５を解除する。ここで作業者は乗場からピットタラップ１の縦部材２を掴み、昇降路に設けた上下部レール７，８に沿って、ピットタラップ１を乗場出入口付近まで引き寄せるようにして横行移動させる。その後、更に作業場所に移動させ、位置を確定してこのピットタラップ１を利用してピット内部へ下降する。横行移動するピットタラップ１は上下部レール７，８とこれに係着した上下部シュー４，４ａで軽易に案内され、しかもピットタラップ１は転倒することなく支持される。
【００１６】
又、作業者がピット内で安全に作業するため、ピットタラップ１側の接触片６が安全スイッチ１４から離脱すると、この安全スイッチ１４はＯＦＦの状態となり、ここでカゴ室９が走行できないように駆動系の電源が切断され、作業者の安全を図る。点検が終了した後に、作業者はピットタラップ１を利用して最下階乗場に上がり、ピットタラップ１を押して正規の収納位置に移動させ、固定装置１５を用いて固定する。この時安全スイッチ１４が働き、カゴ室９が走行可能となる。
【図面の簡単な説明】
【００１７】
【図１】この発明の実施の形態１によるエレベータのピットタラップを示す正面図であり、タラップ収納時の状態図である。
【図２】図１と同じ正面図であり、タラップを引出した状態図である。
【図３】図３におけるＡ−Ａ線に沿って見た側面図である。
【図４】この発明の実施の形態１による平面図である。
【図５】この発明の実施の形態２によるピットタラップ固定装置を示す斜視図である。
【図６】（ａ）（ｂ）はこの発明の実施の形態３によるピットタラップの位置決め装置の断面図である。
【符号の説明】
【００１８】
１  ピットタラップ、２  縦部材、３  横部材、４  上部シュー、４ａ  下部シュー、５  係止金具、６  接触片、７  上部レール、８  下部レール、１４  安全スイッチ、
１５  固定装置、１７  位置決め装置。
【図１】
2005194077.tif 000003
【図２】
2005194077.tif 000004
【図３】
2005194077.tif 000005
【図４】
2005194077.tif 000006
【図５】
2005194077.tif 000007
【図６】
2005194077.tif 000008